(57)【要約】【課題】  通話中であっても迅速に定型音声を発信することができ、副次的な目的は、一度に多数の相手に音声のメッセージを伝達することができる通信方法及び通信システムを提供する。【解決手段】  ユーザが予め通信端末に保存した定型音声を、ユーザの通話に参加している他の通信端末のユーザに、ユーザ自身の音声の代わりとして聞かせるかあるいは前記定型音声と前記ユーザ自身の音声との両方を聞かせるようにしたことにより、通話中であっても迅速に定型音声を発信することができ、他の通信端末の数が複数の場合には、一度に多数の相手に音声のメッセージを伝達することができる。【選択図】  図１
2006197116.tif 000002
【特許請求の範囲】
【請求項１】
ＰｏＣサービス提供サーバを介して複数の通信端末間でＰｏＣ通信を行う通信方法において、
定型音声を通信端末のユーザとの通話に参加している他の通信端末のユーザに、前記ユーザ自身の声の代わりとして聞かせることを特徴とする通信方法。
【請求項２】
前記定型音声が定型音声提供サーバから前記通信端末にダウンロードされたものであることを特徴とする請求項１記載の通信方法。
【請求項３】
前記定型音声が前記通信端末のユーザによって録音されたものであることを特徴とする請求項１記載の通信方法。
【請求項４】
前記他の通信端末の数が複数であることを特徴とする請求項１から３のいずれか１項記載の通信方法。
【請求項５】
前記定型音声の発音時間が一定時間であることを特徴とする請求項４記載の通信方法。
【請求項６】
前記定型音声が効果音、キャラクタ音声、音楽、歌詞、及び前記通信端末のユーザ自身の肉声を含むことを特徴とする請求項５項記載の通信方法。
【請求項７】
前記定型音声にキー割り当てを施して表示部に表示し、一つのボタン操作で定型音声の選択及び送信を行うことを特徴とする請求項６記載の通信方法。
【請求項８】
ユーザが予め定型音声を保存することと、ＰｏＣ通信を行うことが可能な通信端末と、
前記通信端末と他の通信端末との間でＰｏＣ通信を行うことが可能なＰｏＣサービス提供サーバとを備え、
前記ユーザが予め保存した定型音声を、前記ユーザとの通話に参加している他の通信端末のユーザに、前記ユーザ自身の声の代わりとして聞かせるようにしたことを特徴とする通信システム。
【請求項９】
前記定型音声が定型音声提供サーバからダウンロードされたものであることを特徴とする請求項８記載の通信システム。
【請求項１０】
前記定型音声が前記通信端末のユーザによって録音されたものであることを特徴とする請求項８記載の通信システム。
【請求項１１】
前記他の通信端末の数が複数であることを特徴とする請求項８から１０のいずれか１項記載の通信システム。
【請求項１２】
前記定型音声の発音時間が一定時間であることを特徴とする請求項１１記載の通信システム。
【請求項１３】
前記定型音声が効果音、キャラクタ音声、音楽、歌詞、及び前記通信端末のユーザ自身の肉声を含むことを特徴とする請求項１２記載の通信システム。
【請求項１４】
前記定型音声にキー割り当てが施されて表示部に表示され、一つのボタン操作で定型音声の選択及び送信が行われるようにしたことを特徴とする請求項１３記載の通信システム。
【発明の詳細な説明】
【技術分野】
【０００１】
本発明は、通信方法及び通信システムに関し、特にＰｏＣサービス提供サーバを介して複数の通信端末間でＰｏＣ通信を行う通信方法及び通信システムに関する。
【背景技術】
【０００２】
近年、通信技術の進展に伴い、種々の通信システムが開発されてきた。ＰｏＣ(Push-to-talk over Cellular)サービスを利用した通信（以下「ＰｏＣ通信」という）もその１つに挙げられる。ＰｏＣサービスは、複数ユーザでの音声チャットを可能とし、無線リソースの影響を最小限に抑えつつＡＲＰＵ（Average Revenue Per User：加入者あたりの月額利用金額）を引き上げることが可能なサービスである。ＰｏＣサービスは、同時に複数人との通話が可能なサービスであり、従来の１対１型の音声通信サービスとは異なる、新しいスタイルのモバイルコミュニケーションをユーザに提供する。すなわち、ＰｏＣサービスは、１対１またはグループ間での迅速なコミュニケーション手段であり、携帯端末をトランシーバのように利用することができるサービスである。
ＰｏＣサービスを利用して通話を開始するためには、ダイヤルボタンを押す代わりに、ボタンを一押しするだけで簡単に「仲間リスト」にアクセスしたり、連絡したい相手を選んだりすることができる。ボタンをさらに一度押して話すだけで、発信者の声は受信者に届けられる。また、グループ・コールを作成すると、仲間リストの全員が、まさに電話会議のように発信者からのメッセージを同時に聞くことができる（例えば、非特許文献１参照）。
【０００３】
ところで、このＰｏＣサービスには、ユーザが通話中に好みの定型音声を選択して相手に聞かせるようなサービスは存在しなかった。
また、定型音声を用いたサービスとしては、通話中に相手に定型音声を聞かせるサービスがある。
さらに、ユーザが直接通話できない環境下で予め録音したユーザの声を相手に聞かせることが行われている（例えば、特許文献１参照）。
【特許文献１】特開２００１−２５１６７２号公報
【非特許文献１】“NECプレリリース、IPとSIP技術をベースとしたIMSソリューションの実用化について〜携帯電話のパケット通信網上でPush-to-Talkなど新しいマルチメディアサービスを実現〜：２００４年０３月０８日−２”［平成１７年１月６日検索］、インターネット＜URL:http://www.nec.co.jp/press/ja/0403/0802.html＞
【発明の開示】
【発明が解決しようとする課題】
【０００４】
しかしながら、前述した特許文献１に記載の発明は、一対一の通話には適用できるものの、一度に多数の相手に音声のメッセージを伝達したり、トランシーバのように１つのボタンを押すだけで発信と受信との切替を迅速に行うことができなかった。
従来、ＰｏＣ通信で音声によるコミュニケーションを行う際には、ユーザが声を発することしか方法がなく、ユーザにとっての使い勝手が無機質になりがちであった。また電車の中などで声を発して通話を行うことが難しい場合や口内炎、扁桃腺炎、虫歯等の疾患により声を発するのが困難な時には、ＰｏＣ通信が使いにくいという問題があった。
すなわち、従来は、通話中の定型音声とＰｏＣサービスとを組み合わせた通話方法や通話システムは存在していなかった。
そこで、本発明の主な目的は、通話中であっても迅速に定型音声を発信することができ、副次的な目的は、一度に多数の相手に音声のメッセージを伝達することができる通信方法及び通信システムを提供することにある。
【課題を解決するための手段】
【０００５】
上記課題を解決するため、請求項１記載の発明は、ＰｏＣサービス提供サーバを介して複数の通信端末間でＰｏＣ通信を行う通信方法において、定型音声を通信端末のユーザとの通話に参加している他の通信端末のユーザに、前記ユーザ自身の声の代わりとして聞かせることを特徴とする。
請求項２記載の発明は、請求項１記載の発明において、前記定型音声が定型音声提供サーバから前記通信端末にダウンロードされたものであることを特徴とする。
【０００６】
請求項３記載の発明は、請求項１記載の発明において、前記定型音声が前記通信端末のユーザによって録音されたものであることを特徴とする。
【０００７】
請求項４記載の発明は、請求項１から３のいずれか１項記載の発明において、前記他の通信端末の数が複数であることを特徴とする。
【０００８】
請求項５記載の発明は、請求項４記載の発明において、前記定型音声の発音時間が一定時間であることを特徴とする。
【０００９】
請求項６記載の発明は、請求項５記載の発明において、前記定型音声が効果音、キャラクタ音声、歌詞、音楽、及び前記通信端末のユーザ自身の肉声を含むことを特徴とする。
【００１０】
請求項７記載の発明は、請求項６記載の発明において、前記定型音声にキー割り当てを施して表示部に表示し、一つのボタン操作で定型音声の選択及び送信を行うことを特徴とする。
【００１１】
請求項８記載の発明は、ユーザが予め定型音声を保存することと、ＰｏＣ通信を行うことが可能な通信端末と、前記通信端末と他の通信端末との間でＰｏＣ通信を行うことが可能なＰｏＣサービス提供サーバとを備え、前記ユーザが予め保存した定型音声を、前記ユーザとの通話に参加している他の通信端末のユーザに、前記ユーザ自身の声の代わりとして聞かせるようにしたことを特徴とする。
【００１２】
請求項９記載の発明は、請求項８記載の発明において、前記定型音声が定型音声提供サーバからダウンロードされたものであることを特徴とする。
【００１３】
請求項１０記載の発明は、請求項８記載の発明において、前記定型音声が前記通信端末のユーザによって録音されたものであることを特徴とする。
【００１４】
請求項１１記載の発明は、請求項８から１０のいずれか１項記載の発明において、前記他の通信端末の数が複数であることを特徴とする。
【００１５】
請求項１２記載の発明は、請求項１１記載の発明において、前記定型音声の発音時間が一定時間であることを特徴とする。
【００１６】
請求項１３記載の発明は、請求項１２記載の発明において、前記定型音声が効果音、キャラクタ音声、音楽、歌詞、及び前記通信端末のユーザ自身の肉声を含むことを特徴とする。
【００１７】
請求項１４記載の発明は、請求項１３記載の発明において、前記定型音声にキー割り当てが施されて表示部に表示され、一つのボタン操作で定型音声の選択及び送信が行われるようにしたことを特徴とする。
【発明の効果】
【００１８】
本発明によれば、ユーザが予め通信端末に保存した定型音声を、ユーザとの通話に参加している他の通信端末のユーザに、ユーザ自身の声の代わりとして聞かせるようにしたことにより、通話中であっても迅速に定型音声を発信することができ、他の通信端末の数が複数の場合には、一度に多数の相手に音声のメッセージを伝達することができる。
【発明を実施するための最良の形態】
【００１９】
本実施形態の通信方法（通信システム）は、ＰｏＣサービス提供サーバを介して複数の通信端末間でＰｏＣ通信を行う通信方法（通信システム）であって、定型音声を通信端末のユーザとの通話に参加している他の通信端末のユーザに、ユーザ自身の声の代わりとして聞かせることを特徴とする。この場合には、通話中であっても迅速に定型音声を発信することができる。
【００２０】
本実施形態の通信方法（通信システム）は、上記構成に加え、定型音声が定型音声提供サーバから通信端末にダウンロードされたものであってもよい。この場合には、通信端末のユーザが通信端末に接続された網から所望の定型音声を選択後保持することができる。
【００２１】
本実施形態の通信方法（通信システム）は、定型音声が通信端末のユーザによって録音されたものであってもよい。この場合には、通信端末のユーザの肉声や非肉声（鳥等の動物の鳴き声、エンジン音等の機械音、川のせせらぎや波等の自然界の音等）の定型音声を他の通信端末のユーザに発信することができる。
【００２２】
本実施形態の通信方法（通信システム）は、他の通信端末の数が複数であってもよい。この場合には、一度に複数の通信端末のユーザに定型音声を発信することができる。
【００２３】
本実施形態の通信方法（通信システム）は、定型音声の発音時間が一定時間であってもよい。この場合には、一定時間経過後にユーザ自身が通話を行ったり、ユーザ自身が通話した後に定型音声を発信したり、定型音声のみ発信したりすることができる。
【００２４】
本実施形態の通信方法（通信システム）は、定型音声が効果音、キャラクタ音声、音楽、及び通信端末のユーザ自身の肉声、非肉声を含んでもよい。この場合には、任意の種類の定型音声を発信することができる。
【００２５】
本実施形態の通信方法（通信システム）は、定型音声にキー割り当てを施して表示部に表示し、一つのボタン操作で定型音声の選択及び送信を行うようにしてもよい。この場合には、ＰｏＣ通話の最初、途中、最後の任意の位置に定型音声を挿入することができる。
【００２６】
すなわち、本発明に係る通信方法及び通信システムの特徴は、ＰｏＣサービスにおいて、あらかじめＰｏＣ端末に保存された効果音やキャラクタ音声、音楽などの「定型音声」を、ＰｏＣ通話に参加している他のメンバーに、自身の声の代わりとして聞かせることが出来る点にある。
また、本発明に係る通信方法及び通信システムは、ＰｏＣ対応端末に定型音声発信機能を搭載することで実現する。また、ユーザが使用する定型音声を、ユーザがダウンロードしてＰｏＣ端末に保存できるようにすることで、ユーザの選択肢を広げることができる点にある。
【００２７】
次に本実施形態の通信システムに用いられる通信端末の構成について説明する。
図１は本実施形態の通信システムに用いられる通信端末の機能ブロック図である。
同図に示す通信端末としての携帯電話機は、電波を送受信するアンテナ１０１と、アンテナ１０１からの電波を増幅したり、アンテナ１０１に給電したりするＲＦ部１０２と、他の通信端末からの電波の着信の有無を検出する着信部１０３と、文字や画像を表示する表示部１０４と、マイクロフォン１０５及びスピーカ１０６を駆動する通話部１０７と、ボタン操作を行うためのテンキー群１０８と、機能集合部１０９とを備えている。尚、電源は省略されている。
【００２８】
アンテナ１０１はロッドアンテナ、ホイップアンテナ、パッチアンテナ、ループアンテナ等いずれを用いてもよい。表示部１０４は例えば液晶表示素子（ＬＣＤ）が用いられる。
機能集合部１０９は、通常の通話を行うための電話機能部１１０と、ＰｏＣ通話を行うためのＰｏＣ機能部１１１と、着信時に作動するバイブレーション機能部１１２と、留守番電話機能部１１３と、定型音声再生発信機能部１１４と、ダウンロードもしくはユーザの吹き込みによる定型音声を記憶する定型音声記憶部１１５と、通常の通話モードとＰｏＣ通話モードとを切り替える通常／ＰｏＣモード切替部１１６と、表示部１０４に表示されたキーのうち選択されたキーに対応するメッセージを定型音声記憶部１１５に記憶された定型音声のデータに変換するメッセージ／音声変換部１１７とを備えている。
【００２９】
携帯電話キャリア、ＡＳＰ（アプリケーションサービスプロバイダ）、またはインターネット上のサイトには、本サービスでユーザが使用可能な定型音声データが蓄積されたサーバがあり、ユーザはこのようなサイトのサーバにアクセスすることで、随時好みの音声データをダウンロードして使用することが可能となっている。
定型音声発信機能を具備するＰｏＣ対応の携帯電話機が、携帯電話網に接続されている。これらの端末には、あらかじめユーザの好みの定型音声情報が保存されており、それぞれの定型音声情報にはユーザがそれを呼び出すためのキーが事前設定されている。
【００３０】
ここで、定型音声としては、効果音、キャラクタ音声、音楽、歌詞、及び携帯電話機のユーザ自身の肉声、非肉声を含むものとする。
効果音としては、例えば、拍手の音（パチパチパチ！）、ブーブー（ブーイング）、クイズ用の正解音（ピンポン！）、クイズ用のはずれ音（ブブー！）、キャラクタ音声（僕○○エモン：声優の声）、某歌手の声（残念！）、音楽（ベートーベン交響曲第５番「運命」）等が挙げられる。
携帯電話機のユーザ自身の肉声としては、例えば、ユーザが扁桃腺炎で声を出すことができないときの「○△です。お電話ありがとうございます。ただいま扁桃腺炎のため、声を出すことができません。メールでお願いできますでしょうか。」と、全快後の「○△です。扁桃腺炎直りました。ご協力ありがとうございました。」とが挙げられる。但し、定型音声の長さ（発音時間）は一定時間（心理学上耐えられる長さ）、例えば、効果音では５秒、音楽では１小節、ユーザの肉声では２０秒程度の長さであるのが好ましい。定型音声の長さが一定であることにより、定型音声を発信した後に通話を行ったり、通話の後に定型音声を発信したり、定型音声のみ発信したりすることができる。
【００３１】
また、例えば、ユーザが道に迷ったときの「○△です。道に迷いました。＃への行き方をお教え下さい。」と、行き方が分かったときの「○△です。＃への道が分かりました。ご協力ありがとうございました。」とが挙げられる。
【００３２】
また、例えば、捜索願いをするときの「○△です。子供が迷子になりました。お心当たりがありましたら連絡願います。特徴は、＃＃＃です。」と、見つかったときの「○△です。無事に見つかりました。ご協力ありがとうございました。」とが挙げられる。尚、上記定型音声と共に子供の静止画像もしくは動画像を発信するようにしてもよい。
【００３３】
また、例えば、ユーザのペットが行方不明になったときの「○△です。ペットが行方不明です。お心当たりの方は連絡願います。特徴は＃＃です。」と、ペットが見つかったときの「○△です。ペットの＃＃が見つかりました。ご協力ありがとうございました。」とが挙げられる。尚、上記定型音声と共にペットの静止画像もしくは動画像を発信するようにしてもよい。
さらに、例えば、宴会を開催したいときの「○△です。この度宴会を開催します。場所は＃＃で、会費は＃＃円です。＃月＃日から＃月＃日までの都合の良い日と参加の可否についてメールにて＃月＃日＃時までお教えください。」と、開催日時が決定したときの「○△です。宴会の日時が決定しました。＃月＃日＃時です。尚、場所は＃＃です。」とが挙げられる。尚、上記定型音声と共に宴会場への地図や宴会場の内部の写真や動画像等を発信するようにしてもよい。
【００３４】
次に本実施形態の動作について図２〜図６を参照して説明する。
図２は図１に示した通信端末への定型音声のデータのダウンロードの説明図である。図３は図１に示した通信端末の表示部の表示の一例を示す図である。図４は図１に示した通信端末から他の通信端末に定型音声としての効果音を一斉に発信したときの状態の一例を示す図である。図５は図１に示した通信端末から他の通信端末に定型音声としての歌詞を一斉に発信したときの状態の一例を示す図である。図６は図１に示した通信端末から他の通信端末に定型音声としての音楽を一斉に発信したときの状態の一例を示す図である。
【００３５】
（事前設定）
まず、定型音声提供サーバ２００を利用する場合（図２参照）、ユーザは定型音声のダウンロードサービスを提供するサイトの定型音声提供サーバ２００にアクセスし、定型音声のデータをダウンロードし、端末としての携帯電話機１００（図１参照）の定型音声記憶部１１５（図１参照）に保存する。
次にユーザは、携帯電話機１００の定型音声記憶部１１５に保存した定型音声の中から選択し、呼び出して再生するためテンキー群１０８（図１参照）のボタン操作によりボタンの割り当て設定を行う（テンキー群１０８の操作によりメッセージと定型音声とを対応付けておく）。
上記の手順は、定型音声データが予め携帯電話機１００に保存されており、呼び出しボタンも割り当てられている場合には省略が可能である。
定型音声提供サーバを利用しない場合、ユーザは携帯電話機１００のマイク１０５を用いて音声を電気信号に変換した後定型音声記憶部１１５に記憶させ、テンキー群１０８の操作によりメッセージと定型音声とを対応付けておく。
【００３６】
（ＰｏＣ通話中における定型音声の使用）
まず、携帯電話機１００のユーザがテンキー群１０８のボタン操作により通常／ＰｏＣモード切替部１１６を作動させて、通常の通話モードからＰｏＣ通話モードに切り替え、ＰｏＣ機能部１１１を作動させる。ＰｏＣ機能部１１１が作動すると携帯電話機１００−１の表示部１０４に「ＰｏＣモード」が表示される。
ＰｏＣ通話モードに切替後のユーザ（以下、「ＰｏＣユーザ」という。）は、テンキー群１０８のボタン操作により、他の携帯電話機１００−１〜１００−Ｎのユーザであって、ＰｏＣモードに切替後のユーザ（以下「ＰｏＣメンバー」という。）間でのＰｏＣセッションの確立を行う。
【００３７】
次に、ＰｏＣセッションに参加しているＰｏＣユーザは、テンキー群１０８の中のＰｏＣ用発言ボタン（図示せず）を押して発言権を取得し、発話（通話）を行う。発言しているＰｏＣユーザの声は、ＰｏＣ用発言ボタンを押していないその他のＰｏＣユーザの携帯電話機１００−１〜１００−Ｎから発せられる。
ここまでは通常のＰｏＣサービスにおける、ＰｏＣメンバー間でのＰｏＣ通話の手順である。
【００３８】
次に、ＰｏＣ用発言ボタンを押すことにより発言権を取得したＰｏＣユーザは、携帯電話機１００のＰｏＣ用発言ボタンを押したまま、スクロールボタン（図示せず）を押し、図３に示す表示部１０４に表示されたキー割り当て表示３００の中から所望のキー及び音を選択し、網点３１０を停止させた位置（例えば、キー番号「１」）で定型音声再生用のボタンを押す。
尚、スクロールボタンを押す代わりに、ＰｏＣユーザがテンキー群１０８の中の数字ボタンの０〜９のいずれかを押すことにより所望の定型音声を選択し送信するようにしてもよい（この場合、０〜９の数字ボタンのそれぞれに所望の定型音声を予め対応させることができるようにしてもよい。）。
携帯電話機１００は、ＰｏＣ用発言ボタンが押されたまま定型音声再生用のボタンが押されると、定型音声記憶部１１５に記憶された定型音声が携帯電話機１００で再生されてユーザに聞こえると同時にＰｏＣサービス提供サーバ４００を介してＰｏＣユーザの声の代わりに他のＰｏＣユーザの携帯電話機１００−１〜１００−Ｎに発信される。
【００３９】
各携帯電話機１００−１〜１００−Ｎに発信された定型音声は、図４に示すように各携帯電話機１００−１〜１００−Ｎから「パチパチパチ！」という定型音声が同時に発せられる。この結果、ユーザとの通話に参加している他の携帯電話機１００−１〜１００−Ｎのユーザに、ユーザ自身の声の代わりとして聞かせるようにしたことにより、通話中であっても迅速に定型音声を発信することができ、他の多数の携帯電話機１００−１〜１００−Ｎに一度にメッセージを伝達することができる。
【００４０】
携帯電話機１００のＰｏＣ用発言ボタンを押したまま、スクロールボタン（図示せず）を押し、図３に示す表示部１０４に表示されたキー割り当て表示３００の中から所望のキー及び音を選択し、網点３１０を停止させた位置（例えば、キー番号「９８」）で定型音声再生用のボタンを押す。携帯電話機１００は、ＰｏＣ用発言ボタンが押されたまま定型音声再生用のボタンが押されると、定型音声記憶部１１５に記憶された定型音声が携帯電話機１００で再生されてユーザに聞こえると同時にＰｏＣサービス提供サーバ４００を介してＰｏＣユーザの声の代わりに他のＰｏＣユーザの携帯電話機１００−１〜１００−Ｎに発信される。
各携帯電話機１００−１〜１００−Ｎに発信された定型音声は、図５に示すように各携帯電話機１００−１〜１００−Ｎから「残念！」という定型音声が同時に発せられる。
【００４１】
同様に、携帯電話機１００のＰｏＣ用発言ボタンを押したまま、スクロールボタン（図示せず）を押し、図３に示す表示部１０４に表示されたキー割り当て表示３００の中から所望のキー及び音を選択し、網点３１０を停止させた位置（例えば、キー番号「９９」）で定型音声再生用のボタンを押す。携帯電話機１００は、ＰｏＣ用発言ボタンが押されたまま定型音声再生用のボタンが押されると、定型音声記憶部１１５に記憶された定型音声が携帯電話機１００で再生されてユーザに聞こえると同時にＰｏＣサービス提供サーバ４００を介してＰｏＣユーザの声の代わりに他のＰｏＣユーザの携帯電話機１００−１〜１００−Ｎに発信される。
各携帯電話機１００−１〜１００−Ｎに発信された定型音声は、図６に示すように各携帯電話機１００−１〜１００−Ｎから定型音声としての音楽（この場合、ベートーベン交響曲第５番「運命」）が一定時間同時に発せられる。尚、テンキー群１０８のボタン操作により、定型音声発信時に携帯電話機１００−１から定型音声が発せられるのを抑止することができる。また、定型音声を繰り返し発したいときは定型音声再生用のボタンを再度押すことで実現できる。
【００４２】
ここで、発言権がアイドルの状態（誰も発言権を取得していない状態）で、あらかじめ割り当ててある定型音声再生用のボタンを押した場合には、発言権をまず取得し、そのあと定型音声が再生され、発信される。
この場合、定型音声再生用のボタンを押し続けることで、定型音声が発信された後、そのまま続けて話すことも可能である。
【００４３】
〔効果〕
本実施形態によれば、ＰｏＣ通話中に、携帯電話機１００−１のユーザの声以外に、効果音、キャラクタ音声、歌詞、及び音楽などの「定型音声」を他のＰｏＣメンバーに聞かせることが出来る。これは、メールやインスタントメッセージサービスにおける「顔文字」の音声版といえるサービスである。無機質になりがちな音声のみのＰｏＣサービスに、遊び心を加えることが可能である。
また、電車の中や扁桃腺炎などで声を発して通話を行うことが難しい場合や緊急を要する場合等でも、ボタンを押下することで簡単な音声によるコミュニケーションが可能となる。
この機能を利用すると、まったく声を出さずに「定型音声」のみを利用して音声コミュニケーションを行うという使い方も可能となる。
定型音声は、ユーザが定型音声提供サーバから好きなデータをダウンロードして使用することが出来るため、多種多様な定型音声データを取り揃えておけば、その利用方法はユーザの発想次第で無限に広がる。
サービス提供者にとってはＰｏＣの付加価値増大による収入増、また定型音声ダウンロードサービスによる収入増も期待できる。
【００４４】
電話中に相手方に定型音声を聞かせるサービスでは、電話の特質(全二重の通話)から、定型音声を送るサービスは向かないが、ＰｏＣはトランシーバのように、ボタンを押して発言権を獲得して発言するという形態（半二重の通話）から、定型音声を送りあうサービスが適合する。また、ＰｏＣは１対Ｎでのグループトークが可能であり、一度に複数の相手に定型音声を聞かせることが可能であるため、本サービスの適合性は高い。
【産業上の利用可能性】
【００４５】
本発明は、携帯電話機、ＰＤＡ（Personal Digital Assistants：個人用携帯端末）、ＰＣ（Personal Computer）に利用することができる。
【図面の簡単な説明】
【００４６】
【図１】本実施形態の通信システムに用いられる通信端末の機能ブロック図である。
【図２】図１に示した通信端末への定型音声のデータのダウンロードの説明図である。
【図３】図１に示した通信端末の表示部の表示の一例を示す図である
【図４】図１に示した通信端末から他の通信端末に定型音声としての効果音を一斉に発信したときの状態の一例を示す図である。
【図５】図１に示した通信端末から他の通信端末に定型音声としての歌詞を一斉に発信したときの状態の一例を示す図である。
【図６】図１に示した通信端末から他の通信端末に定型音声としての音楽を一斉に発信したときの状態の一例を示す図である。
【符号の説明】
【００４７】
１００    携帯電話機
１０１    アンテナ
１０２    ＲＦ部
１０３    着信部
１０４    表示部
１０５    マイクロフォン
１０６    スピーカ
１０７    通話部
１０８    テンキー群
１０９    機能集合部
１１０    電話機能部
１１１    ＰｏＣ機能部
１１２    バイブレーション機能部
１１３    留守番電話機能部
１１４    定型音声再生発信機能部
１１５    定型音声記憶部
１１６    通常／ＰｏＣモード切替部
１１７    メッセージ／音声変換部
【図１】
2006197116.tif 000003
【図２】
2006197116.tif 000004
【図３】
2006197116.tif 000005
【図４】
2006197116.tif 000006
【図５】
2006197116.tif 000007
【図６】
2006197116.tif 000008
【手続補正書】
【提出日】平成17年1月28日(2005.1.28)
【手続補正１】
【補正対象書類名】特許請求の範囲
【補正対象項目名】請求項１
【補正方法】変更
【補正の内容】
【請求項１】
ＰｏＣサービス提供サーバを介して複数の通信端末間でＰｏＣ通信を行う通信方法において、
定型音声を通信端末のユーザとの通話に参加している他の通信端末のユーザに、前記ユーザ自身の音声の代わりとして聞かせるかあるいは前記定型音声と前記ユーザ自身の音声との両方を聞かせることを特徴とする通信方法。
【手続補正２】
【補正対象書類名】特許請求の範囲
【補正対象項目名】請求項８
【補正方法】変更
【補正の内容】
【請求項８】
ユーザが予め定型音声を保存することと、ＰｏＣ通信を行うことが可能な通信端末と、
前記通信端末と他の通信端末との間でＰｏＣ通信を行うことが可能なＰｏＣサービス提供サーバとを備え、
前記ユーザが予め保存した定型音声を、前記ユーザとの通話に参加している他の通信端末のユーザに、前記ユーザ自身の音声の代わりとして聞かせるかあるいは前記定型音声と前記ユーザ自身の音声との両方を聞かせるようにしたことを特徴とする通信システム。
【手続補正３】
【補正対象書類名】明細書
【補正対象項目名】０００５
【補正方法】変更
【補正の内容】
【０００５】
上記課題を解決するため、請求項１記載の発明は、ＰｏＣサービス提供サーバを介して複数の通信端末間でＰｏＣ通信を行う通信方法において、定型音声を通信端末のユーザとの通話に参加している他の通信端末のユーザに、前記ユーザ自身の音声の代わりとして聞かせるかあるいは前記定型音声と前記ユーザ自身の音声との両方を聞かせることを特徴とする。
【手続補正４】
【補正対象書類名】明細書
【補正対象項目名】００１１
【補正方法】変更
【補正の内容】
【００１１】
請求項８記載の発明は、ユーザが予め定型音声を保存することと、ＰｏＣ通信を行うことが可能な通信端末と、前記通信端末と他の通信端末との間でＰｏＣ通信を行うことが可能なＰｏＣサービス提供サーバとを備え、前記ユーザが予め保存した定型音声を、前記ユーザとの通話に参加している他の通信端末のユーザに、前記ユーザ自身の音声の代わりとして聞かせるかあるいは前記定型音声と前記ユーザ自身の音声との両方を聞かせるようにしたことを特徴とする。
【手続補正５】
【補正対象書類名】明細書
【補正対象項目名】００１８
【補正方法】変更
【補正の内容】
【００１８】
本発明によれば、ユーザが予め通信端末に保存した定型音声を、ユーザとの通話に参加している他の通信端末のユーザに、ユーザ自身の音声の代わりとして聞かせるかあるいは前記定型音声と前記ユーザ自身の音声との両方を聞かせるようにしたことにより、通話中であっても迅速に定型音声を発信することができ、他の通信端末の数が複数の場合には、一度に多数の相手に音声のメッセージを伝達することができる。